(57)【特許請求の範囲】
【請求項１】
通常距離の被写体の撮影を行う通常撮影モードと、近距離の前記被写体の撮影を行うマクロ撮影モードとから撮影モードを選択する撮影モード選択手段と、
撮影レンズを通して得られる前記被写体からの被写体光を撮像信号として光電変換する撮像手段とを備え、
前記撮像手段が、前記撮影レンズから得られた前記被写体光から前記撮像信号を生成し、前記撮像信号をデジタルの画像データとして記憶媒体に格納する撮像装置において、
前記撮影モード選択手段がマクロ撮影モードを選択していることを検出するマクロ撮影モード検出手段と、
前記画像データから顔を示す画素の集合体を顔表示画素数として抽出する顔表示画素抽出手段と、
前記マクロ撮影モードで撮影可能な距離範囲内における最遠距離を第１最遠距離、この第１最遠距離における前記被写体についての前記顔表示画素数を第１参照顔表示画素数とし、前記顔表示画素数及び前記第１参照顔表示画素数のうちいずれかが小さいかを判定する第１判定手段と、
撮影者に撮り直しを警告する警告手段とを備え、
前記第１判定手段が、前記顔表示画素数を前記第１参照顔表示画素数よりも小さいと判定する場合、前記警告手段を用いて第１警告をすることを特徴とする撮像装置。
【請求項２】
撮影時に前記被写体にストロボ光を発光するストロボ撮影モードを使用するか否かを選択するストロボ撮影モード選択手段と、
前記ストロボ撮影モード選択手段が前記ストロボ撮影モードの使用を選択していることを検出するストロボ撮影モード検出手段と、
前記ストロボ光が前記被写体に到達可能な距離範囲内における最遠距離を第２最遠距離、この第２最遠距離における前記被写体の前記顔表示画素数を第２参照顔表示画素数とし、前記顔表示画素数及び前記第２参照顔表示画素数のうちいずれかが小さいかを判定する第２判定手段とを備え、
前記第２判定手段が、前記顔表示画素数を前記第２参照顔表示画素数よりも小さいと判定する場合、前記警告手段を用いて第２警告をすることを特徴とする請求項１記載の撮像装置。
【請求項３】
前記第１または第２最遠距離、前記撮像装置の画面対角線長、及び前記撮影レンズの焦点距離から決定される前記第１または第２参照顔表示画素数を用いることを特徴とする請求項１または２記載の撮像装置。
【請求項４】
前記第１及び第２参照顔表示画素数が、前記第１または第２最遠距離における前記被写体の顔の幅を表す画素数であることを特徴とする請求項１ないし３記載の撮像装置。
【請求項５】
前記第１及び第２参照顔表示画素数が、前記第１或いは第２最遠距離における前記被写体の顔の幅の平均値を表す画素数であることを特徴とする請求項４記載の撮像装置。
【請求項６】
前記警告手段が、画像を表示する画像表示装置であることを特徴とする請求項１ないし５いずれか１項記載の撮像装置。
【請求項７】
前記第１または第２警告として、撮り直しを促すメッセージを前記画像表示装置に表示させる表示制御手段を備えることを特徴とする請求項６記載の撮像装置。
【請求項８】
撮影時に被写体にストロボ光を発光するストロボ撮影モードを使用するか否かを選択するストロボ撮影モード選択手段と、
撮影レンズを通して得られる前記被写体からの被写体光を撮像信号として光電変換する撮像手段とを備え、
前記撮像手段が、前記撮影レンズから得られた前記被写体光から前記撮像信号を生成し、前記撮像信号をデジタルの画像データとして記憶媒体に格納する撮像装置において、
前記ストロボ撮影モード選択手段が前記ストロボ撮影モードの使用を選択していることを検出するストロボ撮影モード検出手段と、前記画像データから顔を示す画素の集合体を顔表示画素数として抽出する顔表示画素抽出手段と、
前記ストロボ光が前記被写体に到達可能な距離範囲内における最遠距離を第２最遠距離、この第２最遠距離における前記被写体についての前記顔表示画素数を第２参照顔表示画素数とし、前記顔表示画素数及び前記第２参照顔表示画素数のうちいずれかが小さいかを判定する第２判定手段と、
撮影者に撮り直しを警告する警告手段とを備え、
前記第２判定手段が、前記顔表示画素数を前記第２参照顔表示画素数よりも小さいと判定する場合、前記警告手段を用いて第２警告をすることを特徴とする撮像装置。
【請求項９】
前記第２最遠距離、前記撮像装置の画面対角線長、及び前記撮影レンズの焦点距離から決定される前記第２参照顔表示画素数を用いることを特徴とする請求項８記載の撮像装置。
【請求項１０】
前記第２参照顔表示画素数が、前記第２最遠距離における前記被写体の顔の幅を表す画素数であることを特徴とする請求項８または９記載の撮像装置。
【請求項１１】
前記第２参照顔表示画素数が、前記第２最遠距離における前記被写体の顔の幅の平均値を表す画素数であることを特徴とする請求項１０記載の撮像装置。
【請求項１２】
前記警告手段が、画像を表示する画像表示装置であることを特徴とする請求項８ないし１１いずれか１項記載の撮像装置。
【請求項１３】
前記第２警告として、撮り直しを促すメッセージを前記画像表示装置に表示させる表示制御手段を備えることを特徴とする請求項１２記載の撮像装置。
【発明の詳細な説明】
【技術分野】
【０００１】
本発明は、不具合画像データの撮影を防止する撮像装置に関する。
【背景技術】
【０００２】
撮像装置として、ＣＣＤなどの固体撮像素子で被写体光を撮像して得られた撮像信号をデジタルの画像データに変換し、この画像データをメモリカードなどの記憶媒体に記憶するデジタルスチルカメラやカメラ付き携帯電話が知られている。これらの撮像装置には、撮影に同期してストロボ発光を行い、不足する被写体輝度を補うストロボ装置や近距離の被写体の撮影に適したマクロ撮影モードを備えている。通常撮影モードは、被写体までの距離（以下、被写体間距離という。）が中、遠距離（例えば、１ｍ〜無限遠）の撮影のための撮影モードであり、マクロ撮影モードは、被写体間距離が近距離（例えば、１０ｃｍ〜１ｍ）の撮影のための撮影モードである。このマクロ撮影モード下で通常撮影（中、遠距離の撮影）を行うと、目的の被写体にピントが合わず、良質の画像を得ることができない。そのため、デジタルスチルカメラに、被写体間距離を計測可能な測距センサを搭載し、選択した撮影モードに適さない被写体間距離である場合には、撮影者に事前に通知することが好ましい。
【０００３】
特許文献１に開示されているカメラは、測距センサであるマルチオートフォーカス（以下、マルチＡＦという。）を用いて被写体光を読み取り、適正なストロボ発光量や露出量の制御を可能にする。このようなマルチＡＦは、対象物(被写体)に赤外線・超音波などを照射し、その反射波が戻るまでの時間や照射角度により距離を検出する。
【特許文献１】特開平９−７３１１６号公報
【発明の開示】
【発明が解決しようとする課題】
【０００４】
しかし、被写体間距離を測定するための測距手段として特許文献１で開示されるマルチＡＦを用いた場合、温度変化に伴うレンズの変形に起因して、検出距離の誤差が生じる。このような検出距離の誤差により、被写体間距離が、選択した撮影モードに適さない場合、或いはストロボ光の到達可能範囲外にある場合ことを撮影者が気づかないまま撮影を行うと、ピントの合わない画像データや輝度の低い画像データといった不具合画像データとなってしまう。
【０００５】
本発明は、上記課題を鑑みてなされたものであり、不具合画像データの撮影を防止する撮像装置を提供することを目的とする。
【課題を解決するための手段】
【０００６】
本発明は、通常距離の被写体の撮影を行う通常撮影モードと、近距離の前記被写体の撮影を行うマクロ撮影モードとから撮影モードを選択する撮影モード選択手段と、撮影レンズを通して得られる前記被写体からの被写体光を撮像信号として光電変換する撮像手段とを備え、前記撮像手段が、前記撮影レンズから得られた前記被写体光から前記撮像信号を生成し、前記撮像信号をデジタルの画像データとして記憶媒体に格納する撮像装置において、前記撮影モード選択手段がマクロ撮影モードを選択していることを検出するマクロ撮影モード検出手段と、前記画像データから顔を示す画素の集合体を顔表示画素数として抽出する顔表示画素抽出手段と、前記マクロ撮影モードで撮影可能な距離範囲内における最遠距離を第１最遠距離、この第１最遠距離における前記被写体についての前記顔表示画素数を第１参照顔表示画素数とし、前記顔表示画素数及び前記第１参照顔表示画素数のうちいずれかが小さいかを判定する第１判定手段と、撮影者に撮り直しを警告する警告手段とを備え、前記第１判定手段が、前記顔表示画素数を前記第１参照顔表示画素数よりも小さいと判定する場合、前記警告手段を用いて第１警告をすることを特徴とする。
【０００７】
撮影時に前記被写体にストロボ光を発光するストロボ撮影モードを使用するか否かを選択するストロボ撮影モード選択手段と、前記ストロボ撮影モード選択手段が前記ストロボ撮影モードの使用を選択していることを検出するストロボ撮影モード検出手段と、前記ストロボ光が前記被写体に到達可能な距離範囲内における最遠距離を第２最遠距離、この第２最遠距離における前記被写体の前記顔表示画素数を第２参照顔表示画素数とし、前記顔表示画素数及び前記第２参照顔表示画素数のうちいずれかが小さいかを判定する第２判定手段とを備え、前記第２判定手段が、前記顔表示画素数を前記第２参照顔表示画素数よりも小さいと判定する場合、前記警告手段を用いて第２警告をすることが好ましい。
【０００８】
前記第１または第２最遠距離、前記撮像装置の画面対角線長、及び前記撮影レンズの焦点距離から決定される前記第１または第２参照顔表示画素数を用いることが好ましい。
【０００９】
前記第１及び第２参照顔表示画素数が、前記第１または第２最遠距離における前記被写体の顔の幅を表す画素数であることが好ましく、前記被写体の顔の幅の平均値を表す画素数であることがより好ましい。
【００１０】
前記警告手段が、画像を表示する画像表示装置であることが好ましく、前記第１または第２警告として、撮り直しを促すメッセージを前記画像表示装置に表示させる表示制御手段を備えることが好ましい。
【００１１】
また、本発明は、撮影時に被写体にストロボ光を発光するストロボ撮影モードを使用するか否かを選択するストロボ撮影モード選択手段と、撮影レンズを通して得られる前記被写体からの被写体光を撮像信号として光電変換する撮像手段とを備え、前記撮像手段が、前記撮影レンズから得られた前記被写体光から前記撮像信号を生成し、前記撮像信号をデジタルの画像データとして記憶媒体に格納する撮像装置において、前記ストロボ撮影モード選択手段が前記ストロボ撮影モードの使用を選択していることを検出するストロボ撮影モード検出手段と、前記画像データから顔を示す画素の集合体を顔表示画素数として抽出する顔表示画素抽出手段と、前記ストロボ光が前記被写体に到達可能な距離範囲内における最遠距離を第２最遠距離、この第２最遠距離における前記被写体についての前記顔表示画素数を第２参照顔表示画素数とし、前記顔表示画素数及び前記第２参照顔表示画素数のうちいずれかが小さいかを判定する第２判定手段と、撮影者に撮り直しを警告する警告手段とを備え、前記第２判定手段が、前記顔表示画素数を前記第２参照顔表示画素数よりも小さいと判定する場合、前記警告手段を用いて第２警告をすることを特徴とする。
【００１２】
前記第２最遠距離、前記撮像装置の画面対角線長、及び前記撮影レンズの焦点距離から決定される前記第２参照顔表示画素数を用いることが好ましい。
【００１３】
前記第２参照顔表示画素数が、前記第２最遠距離における前記被写体の顔の幅を表す画素数であることが好ましく、前記被写体の顔の幅の平均値を表す画素数であることがより好ましい。
【００１４】
前記警告手段が、画像を表示する画像表示装置であることが好ましく、前記第２警告として、撮り直しを促すメッセージを前記画像表示装置に表示させる表示制御手段を備えることが好ましい。
【発明の効果】
【００１５】
本発明の撮像装置によれば、撮影モード選択手段がマクロ撮影モードを選択していることを検出するマクロ撮影モード検出手段と、画像データから顔を示す画素の集合体を顔表示画素数として抽出する顔表示画素抽出手段と、マクロ撮影モードで撮影可能な距離範囲内における最遠距離を第１最遠距離、この第１最遠距離における被写体についての顔表示画素数を第１参照顔表示画素数とし、顔表示画素数及び第１参照顔表示画素数のうちいずれかが小さいかを判定する第１判定手段と、撮影者に撮り直しを警告する警告手段とを備え、第１判定手段が、顔表示画素数を第１参照顔表示画素数よりも小さいと判定する場合、警告手段を用いて第１警告をするため、誤ってマクロ撮影モードで撮影した旨を、撮影者へ撮影直後に通知可能になり、撮影機会の喪失を回避することができる。
【００１６】
また、本発明の撮像装置によれば、ストロボ撮影モードがストロボ撮影モードの使用を選択することを検出するストロボ撮影モード検出手段と、画像データから顔を示す画素の集合体を顔表示画素数として抽出する顔表示画素抽出手段と、ストロボ光が被写体に到達可能な距離範囲内における最遠距離を第２最遠距離、この第２最遠距離における被写体についての顔表示画素数を第２参照顔表示画素数とし、顔表示画素数及び第２参照顔表示画素数のうちいずれかが小さいかを判定する判定手段と、撮影者に撮り直しを警告する警告手段とを備え、判定手段が、顔表示画素数を第２参照顔表示画素数よりも小さいと判定する場合、警告手段を用いて第２警告をするため、ストロボ光が届かずに十分な被写体輝度が得られない旨を撮影者へ通知可能になり、撮影機会の喪失を回避することができる。
【００１７】
第１または第２最遠距離、撮像装置の画面対角線長、及び撮影レンズの焦点距離から決定される第１または第２参照顔表示画素数を用いる。また、第１及び第２参照顔表示画素数が、第１または第２最遠距離における被写体の顔の幅を表す画素数であり、第１及び第２参照顔表示画素数が、第１或いは第２最遠距離における被写体の顔の幅の平均値を表す画素数であるため、判定手段による判定演算処理が簡易になる。
【００１８】
警告手段が、画像を表示する画像表示装置であり、警告として、撮り直しを促すメッセージを画像表示装置に表示させる表示制御手段を備えるため、撮影者に撮り直しを喚起することが可能になり、結果的に、撮影機会の喪失を防ぐことができる。
【発明を実施するための最良の形態】
【００１９】
図１において、デジタルスチルカメラ１０は、カメラボディ１１の前面から突出したレンズ鏡胴１２を備えている。レンズ鏡胴１２には撮影レンズ１３が保持されている。ストロボ発光部１４は、ストロボ撮影モードの選択時に、撮影時の被写体輝度を補うためのストロボ光を発光する。
【００２０】
デジタルスチルカメラ１０の上面には、電源スイッチのオン／オフと、撮影モード／再生モード／設定モードの切り換えを行うときに操作される操作ダイヤル１５と、レリーズボタン１６が設けられている。レリーズボタン１６は、半押し操作と全押し操作の二段階の押下操作が可能である。レリーズボタン１６を半押し操作すると、選択された撮影モードにおける露出調整及びフォーカス調節が行われる。レリーズボタン１６を半押し操作した状態からレリーズボタン１６を押し込む全押し操作を行うと、露出調整及びフォーカス調節が施された一画面分の撮像信号が画像データに変換される。更に、この画像データは、後述する各種画像処理を施され、メモリカード１８に記憶される。
【００２１】
図２において、デジタルスチルカメラ１０の後面には、液晶の表示パネル２０が設けられている。表示パネル２０は、撮影モードでは電子ビューファインダとして機能し、撮像されたスルー画及び撮影者に所定の情報を通知するための警告画面等を表示する。また、再生モードでは、画像データとして記憶された静止画を表示する。更に、設定モードでは、表示パネル２０に各種設定画面を表示する。
【００２２】
メモリカード１８は、デジタルスチルカメラ１０の側面に設けられたメモリカードスロット１０ａに着脱自在に装填される。撮影モードで得た画像データはこのメモリカード１８に記憶される。
【００２３】
カーソルボタン２１は、各種の設定の切り換えや、表示パネル２０に表示される各種処理確認画面上の操作に用いられる。決定ボタン２２は、カーソルボタン２１よって選択された処理を実行するためのボタンである。撮影モード選択ボタン２３は、近距離の被写体を撮影するためのマクロ撮影モードと、通常距離の被写体の撮影するための通常撮影モードを切り替えるボタンである。ストロボボタン２４は、撮影時に被写体にストロボ光を発光するストロボ撮影モードを使用するか否かを切り替えるボタンである。これらのボタン２３、２４の操作により、被写体の撮影に適する撮影モードを選択することができる。
【００２４】
図３において、制御部２５は、ＲＯＭ２６に記憶されたシーケンスプログラムをワークメモリであるＲＡＭ２７に読み出して実行する。制御部２５は、操作ダイヤル１５、レリーズボタン１６、カーソルボタン２１、決定ボタン２２、撮影モード選択ボタン２３及びストロボボタン２４の操作により発生する操作信号に従ってデジタルスチルカメラ１０の各部を制御する。
【００２５】
撮影モード選択ボタン２３を押下することにより、撮影モード切替信号が制御部２５に入力される。制御部２５は、この撮影モード切替信号の入力の検出に応じて、通常撮影モード及びマクロ撮影モードのいずれかの撮影モードを排他的に選択する。このようにして、選択された撮影モードの情報は、ＲＡＭ２７に格納される。
【００２６】
レンズ鏡胴１２内には、ズームレンズ３０、フォーカスレンズ３１から構成される撮影レンズ１３及び絞り機構３２が組み込まれている。制御部２５の制御の下、ズームレンズ３０及びフォーカスレンズ３１は、ドライバ回路を備えたズームモータ３０ａ及びフォーカスモータ３１ａによって光軸方向に沿って移動され、光学撮影倍率の変更と、焦点調整とが行われる。このズームレンズ３０及びフォーカスレンズ３１は、制御部２５が選択する撮影モードに応じる移動可能範囲の中で移動自在となっている。また、絞り機構３２は、ドライバ回路を備えたアクチュエータ３２ａによって駆動され、絞り径が切り換えられる。
【００２７】
撮影レンズ１３の背後には、ＣＣＤイメージセンサ３３が配置されている。ＣＣＤイメージセンサ３３は、周知のように、多数の受光素子をマトリックス状に配列された光電面を備えており、ズームレンズ３０、フォーカスレンズ３１及び絞り機構３２を通過して光電面に結像した被写体光を撮像信号として光電変換する。
【００２８】
ＣＣＤイメージセンサ３３は、ＣＣＤドライバ３３ａによって駆動される。ＣＣＤイメージセンサ３３の電荷蓄積時間（露出時間）は、ＣＣＤドライバ３３ａから供給される電子シャッタ駆動信号に応じて決められる。そして、ＣＣＤドライバ３３ａから供給される垂直転送クロック及び水平転送クロックに同期して、画素毎に蓄積された電荷が１ラインずつシリアルな撮像信号として出力される。
【００２９】
ＣＤＳ／ＡＭＰ回路３４は、相関二重サンプリング回路（ＣＤＳ）と、増幅器（ＡＭＰ）とからなる。ＣＤＳは、ＣＣＤイメージセンサ３３が出力した撮像信号からＲ，Ｇ，Ｂのアナログ画像信号を生成する。ＡＭＰは、ＣＤＳによって生成されたＲ，Ｇ，Ｂのアナログ画像信号を増幅する。Ａ／Ｄ変換器３５は、ＣＤＳ／ＡＭＰ回路３４から出力されたアナログ画像信号をデジタル画像信号である画像データに変換する。Ａ／Ｄ変換器３５によって、デジタル変換されたデジタルの画像データはＳＤＲＡＭ３６に一旦格納される。
【００３０】
画像信号処理回路３７は、ＳＤＲＡＭ３６から読み出した画像データに対し、階調変換、ホワイトバランス補正、γ補正、ＹＣ変換処理、測距処理などの各画像処理を施す。ＶＲＡＭ３８は、画像信号処理回路３７で各種画像処理が施された画像データを表示用画像データとして一時的に記憶する。ビデオエンコーダ３９は、ＶＲＡＭ３８に書き込まれた表示用画像データ、または、ＲＯＭ２６に格納される警告画面データをコンポジット信号に変換し、スルー画または警告画面を表示パネル２０に表示する。
【００３１】
圧縮伸長処理回路４１は、レリーズボタン１６の全押し操作により撮影が実行されたときに、画像信号処理回路３７で各種画像処理が施された画像データに対して、例えば、ＪＰＥＧ形式などの所定の圧縮形式で画像圧縮を施す。圧縮された画像データは、メディアコントローラ４２を経由して、メモリカード１８に記憶される。
【００３２】
ストロボ発光部１４は、制御部２５からのストロボ発光コマンドを検出すると、ストロボ発光部１４からストロボ光を発光する。このストロボ光を被写体に照射させて、撮影時の被写体輝度を補う。
【００３３】
顔表示画素抽出部４５は、顔表示画素判定条件に基づき、ＳＤＲＡＭ３６に格納された画像データから人の顔の幅を表す画素の集合体を顔表示画素数として抽出する顔表示画素抽出処理を行う。この顔表示画素判定条件は、人の顔や顔を構成する目、鼻及び口などの色、形状、配置などから構成され、予めＲＯＭ２６に格納される。顔表示画素抽出処理にて抽出された顔表示画素数は、ＳＤＲＡＭ３６に一旦格納される。
【００３４】
判定部４７は、顔表示画素抽出部４５により画像データから抽出される顔表示画素数と参照顔表示画素数のうちいずれが小さいかを判定する。この参照顔表示画素数は、デジタルスチルカメラ１０が有するＣＣＤイメージセンサ３３の画面対角線長、撮影レンズ１３の焦点距離、及び被写体間距離から決定され、ＲＯＭ２６に予め格納される。
【００３５】
次に、参照顔表示画素数の算出方法について図４〜図６を用いて説明する。以下に述べる３つの手順により、参照顔表示画素数を得ることができる。第１の手順では、画角の関係式を用いて、画像データＧＤ１に収められる対角線距離Ｘ１を算出する。第２の手順では、対角線距離Ｘ１から画像データを構成する１画素当たりの距離Ｚ１を得る。第３の手順では、１画素当たりの距離Ｚ１及び顔の幅の平均値である基準幅寸法Ａ１から参照顔表示画素数Ａ０を得る。
【００３６】
これら第１〜第３の各手順の詳細について説明する。はじめに、画像データＧＤ１に収められる対角線距離Ｘ１を求める第１の手順について説明する。図４のように、焦点距離Ｆ１を有する撮影レンズ１３と、画面対角線長Ｇ１を有するＣＣＤイメージセンサ３３を有するデジタルスチルカメラ１０を用いて、撮影レンズ１３から被写体間距離Ｙ１だけ離れた被写体Ｈ１を撮像し、画像データに収めることができる実際の対角線距離Ｘ１は、画角の関係式より、ｔａｎ（θ／２）＝Ｇ１／（２・Ｆ１）のように表される。また、対角線距離Ｘ１、被写体間距離Ｙ１及び画角θの関係は、ｔａｎ（θ／２）＝Ｘ１／（２・Ｙ１）のように表される。この２式から、Ｇ１／（２・Ｆ１）＝Ｘ１／（２・Ｙ１）の式Ａが導かれる。この式Ａにおける焦点距離Ｆ１、画面対角線長Ｇ１は、撮影レンズ１３、ＣＣＤイメージセンサ３３によって決定される。すなわち、この式Ａより、被写体間距離Ｙ１における対角線距離Ｘ１を求めることができる。
【００３７】
次に、対角線距離Ｘ１から画像データＧＤ１を構成する１画素当たりの距離Ｚ１を得る第２の手順の説明をする。図４において、ＣＣＤイメージセンサ３３が生成する撮像信号から得られる画像データＧＤ１を図５及び図６に示す。図５のように、この画像データＧＤ１が示す実際の対角線距離、及び水平方向の距離は、それぞれＸ１、Ｂ１である。対角線距離Ｘ１は前述した式Ａを用いて、また、水平方向の距離Ｂ１は、対角線距離Ｘ１及び画像データＧＤ１のアスペクト比より求めることができる。次に、画像データＧＤ１に収められる水平方向の距離Ｂ１を、ＣＣＤイメージセンサ３３の水平方向の画素数Ｂ０（図６）で除算すると、画像データＧＤ１が構成する１画素当たりの距離Ｚ１を得ることができる。
【００３８】
次に、１画素当たりの距離Ｚ１及び顔の幅の平均値から参照顔表示画素数を得る第３の手順について説明する。予めＲＯＭ２６に格納される人の顔の幅の平均値を表す基準幅寸法Ａ１を、１画素当たりの距離Ｚ１で除算すると、平均的な人の顔の幅を表す参照顔表示画素数Ａ０を得ることができる。このように被写体間距離Ｙ１における被写体Ｈ０の参照顔表示画素数Ａ０を、計算によって求めることができる。
【００３９】
この被写体間距離Ｙ１には、撮影モード選択ボタン２３或いはストロボボタン２４の操作によって選択された撮影モードに応じた第１或いは第２最遠距離が用いられる。この第１最遠距離は、デジタルスチルカメラ１０が有するマクロ撮影モードにおけるズームレンズ３０及びフォーカスレンズ３１の移動可能範囲によって、第２最遠距離は、ストロボ発光部１４が発光するストロボ光の到達距離により決定される。このような第１或いは第２最遠距離を被写体間距離Ｙ１として、前述した第１〜第３の手順を行うことにより、第１或いは第２最遠距離における参照顔表示画素数を求めることができる。なお、マクロ撮影モード及びストロボ撮影モードが同時に選択される場合は、第１及び第２最遠距離のうち、いずれか小さいほうの最遠距離を被写体間距離Ｙ１とすればよい。
【００４０】
次に、本発明のデジタルスチルカメラ１０の動作について、図７のフローチャートを用いて説明する。まず、デジタルスチルカメラ１０で被写体の撮影を行う際には、操作ダイヤル１５を操作してデジタルスチルカメラ１０の電源を投入し、撮影モードを選択する。
【００４１】
撮影モード下において、撮影レンズ１３を透過して形成される被写体光は、ＣＣＤイメージセンサ３３により光電変換され撮像信号となる。この撮像信号は、ＣＤＳ／ＡＭＰ回路３４を経由してアナログの画像データとなり、更に、Ａ／Ｄ変換器３５でデジタルの画像データに変換される。
【００４２】
デジタル変換された画像データはＳＤＲＡＭ３６に順次記録される。ＳＤＲＡＭ３６に記録された画像データは、画像信号処理回路３７により、階調変換、ホワイトバランス補正、γ補正、ＹＣ変換処理などの各種画像処理を施された後、表示用画像データとなってＶＲＡＭ３８に格納される。ＶＲＡＭ３８に格納された表示用画像データは、ビデオエンコーダ３９を介して表示パネル２０にスルー画として表示される。この状態でレリーズボタン１６を半押し操作すると、露出調整及びフォーカス調整が行われ、撮影準備処理が施される。
【００４３】
次に、撮影モード選択ボタン２３、ストロボボタン２４の操作によって撮影モードを選択する。マクロ撮影モードが選択された場合は、制御部２５の制御の下、ズームモータ３０ａ及びフォーカスモータ３１ａは、撮影レンズ１３を構成するズームレンズ３０及びフォーカスレンズ３１をマクロ撮影モードに応じた位置に移動する。また、ストロボ撮影モードが選択された場合は、ストロボ発光部１４は、ストロボ撮影に備え、所定の処理を行う（ステップＳ１００）。ここで、制御部２５は、選択した撮影モードの情報をＲＡＭ２７に格納する。
【００４４】
更に、制御部２５は、ＲＡＭ２７に格納される撮影モードの情報を読み込み、有効となっている撮影モードに応じて参照顔表示画素数Ａ０を設定する。マクロ撮影モードが選択される場合は、第１最遠距離に応じた参照顔表示画素数が参照顔表示画素数Ａ０として設定される。一方、ストロボ撮影モードが有効となっている場合は、第２最遠距離に応じた参照顔表示画素数が参照顔表示画素数Ａ０として設定される。なお、マクロ撮影モード及びストロボ撮影モードの両者が有効となっている場合は、第１或いは第２最遠距離に応じる参照顔表示画素数のうち、いずれか大きいほうの参照顔表示画素数が参照顔表示画素数Ａ０として設定される（ステップＳ１１０）。
【００４５】
レリーズボタン１６が全押し操作され、制御部２５がレリーズボタン１６の全押し操作を検出すると、所定の処理を通して、１枚の画像データＧＤ１を得る。この画像データＧＤ１は、ＳＤＲＡＭ３６に一旦格納される。（ステップＳ１２０）。ストロボ撮影モードが有効である場合には、制御部２５がレリーズボタン１６の全押し操作を検出時に、ストロボ発光部１４にストロボ光を発光させる。
【００４６】
制御部２５は、ＲＡＭ２７から撮影モードの情報を読み込み、マクロ撮影モードまたはストロボ撮影モードのいずれかが選択されたか否かを判定する（ステップＳ１３０）。マクロ撮影モードまたはストロボ撮影モードが選択されていない場合はステップＳ２００へ、マクロ撮影モードまたはストロボ撮影モードが選択されている場合はステップＳ１４０へ、デジタルスチルカメラ１０の動作状態は遷移する。
【００４７】
顔表示画素抽出部４５は、ＲＯＭ２６から顔表示画素判定条件を読み出し、この顔表示画素判定条件に基づいて、画像データＧＤ１に顔表示画素抽出処理を施す。この顔表示画素抽出処理により、人の顔の幅を表す顔表示画素数を得る。この顔表示画素数は、ＳＤＲＡＭ３６に一旦格納される（ステップＳ１４０）。
【００４８】
次に、判定部４７は、顔表示画素抽出処理で得られた顔表示画素数が、参照顔表示画素数Ａ０より小さいか否かを判定する（ステップＳ１５０、Ｓ１６０）。判定部４７が、顔表示画素数を、参照顔表示画素数Ａ０より大きいと判定する場合には、デジタルスチルカメラ１０の動作状態はステップＳ２００へ遷移する。一方、判定部４７が、顔表示画素数が、参照顔表示画素数Ａ０より小さいと判定する場合には、制御部２５の制御の下で、ビデオエンコーダ３９は、再撮影を促す警告メッセージを表示パネル２０に表示する（図７ステップＳ１７０）。
【００４９】
この警告メッセージは、判定部４７で使用された判定条件に応じている。制御部２５の制御の下、ビデオエンコーダ３９は、この判定処理に、第１最遠距離に基づく参照顔表示画素数Ａ０が用いられる場合は第１警告メッセージＭＳ１（図８）、第２最遠距離に基づく参照顔表示画素数Ａ０が用いられる場合は第２警告メッセージＭＳ２（図９）を、表示パネル２０に表示する。
【００５０】
制御部２５が、この第１或いは第２警告メッセージＭＳ１、ＭＳ２の表示中に各ボタン２１、２２による操作信号を検出すると、制御部２５の制御の下で、ビデオエンコーダ３９は、表示パネル２０に所定の選択画面を表示する（ステップＳ１８０）。この選択画面表示中のボタン２１、２２の操作によって、当該画像データＧＤ１を破棄して再撮影を行うか否かを撮影者に選択させる。この選択画面表示中に、制御部２５が再撮影の許可信号を検出すると、画像データＧＤ１の保存処理を行わずに、デジタルスチルカメラ１０の動作状態はステップＳ１００に遷移する。一方、この選択画面表示中に、制御部２５が再撮影の却下信号を検出すると、画像データＧＤ１を保持したまま、デジタルスチルカメラ１０の動作状態はステップＳ２００に遷移する。
【００５１】
ステップＳ２００では、ＳＤＲＡＭ３６に格納される当該画像データＧＤ１には所定の画像圧縮処理が施され、メディアコントローラ４２は、圧縮処理が施された画像データＧＤ１をメモリカード１８に格納する。
【００５２】
上記実施形態では、参照顔表示画素数Ａ０を計算によって求めたが、これに限らず、実際の撮影を用いた結果を元に参照顔表示画素数Ａ０を算出してもよい。例えば、図４のような被写体間距離Ｙ１における被写体Ｈ１を撮影して得られる画像データに顔表示画素抽出処理を施して得られる顔表示画素数を、参照顔表示画素数Ａ０とすることも可能である。
【００５３】
上記実施形態では、人の顔の幅の平均値を基準幅寸法Ａ１として用いて参照顔表示画素数Ａ０を算出したが、これに限らず、被写体の顔の幅の実測寸法を基準幅寸法Ａ１として、参照顔表示画素数Ａ０を算出してもよい。
【００５４】
上記実施形態ではデジタルスチルカメラ１０について記載したが、これに限らず、カメラ付き携帯電話などその他の撮像装置に本発明を適用することにより同等の効果を得ることができる。
【図面の簡単な説明】
【００５５】
【図１】本発明のデジタルスチルカメラの前面側の斜視図である。
【図２】本発明のデジタルスチルカメラの背面側の斜視図である。
【図３】本発明のデジタルスチルカメラの内部構成を示すブロック図である。
【図４】焦点距離Ｆ１の撮像レンズと、画面対角線長Ｇ１のＣＣＤイメージセンサを有するデジタルスチルカメラを用いて、撮像レンズから被写体間距離Ｙ１だけ離れた被写体Ｈ１を撮像したときに、画像データとして収めることができる対角線距離Ｘ１の関係を示した説明図である。
【図５】図４における被写体Ｈ１を撮影して得られる画像データＧＤ１、及び、画像データＧＤ１に収めることのできる対角線距離Ｘ１を表す説明図である。
【図６】図４における被写体Ｈ１を撮影して得られる画像データＧＤ１、及び、画面対角線長Ｇ１を表す説明図である。
【図７】本発明のデジタルスチルカメラの動作のフローチャートである。
【図８】表示パネルに第１警告メッセージＭＳ１を表示した状態を示す説明図である。
【図９】表示パネルに第２警告メッセージＭＳ２を表示した状態を示す説明図である。
【符号の説明】
【００５６】
１０  デジタルスチルカメラ
１３  撮影レンズ
１４  ストロボ発光部
１５  操作ダイヤル
１６  レリーズボタン
１８  メモリカード
２０  表示パネル
２３  撮影モード選択ボタン
２４  ストロボボタン
２５  制御部
３０  ズームレンズ
３１  フォーカスレンズ
３３  ＣＣＤイメージセンサ
３９  ビデオエンコーダ
４２  メディアコントローラ
４５  顔表示画素抽出部
４７  判定部
ＧＤ１  画像データ
Ａ０  参照顔表示画素数
Ａ１  基準幅寸法
Ｆ１  焦点距離
Ｇ１  画面対角線長
Ｘ１  対角線距離
Ｙ１  被写体間距離
ＭＳ１  第１警告メッセージ
ＭＳ２  第２警告メッセージ
【図１】
0004493570.tif 000002
【図２】
0004493570.tif 000003
【図３】
0004493570.tif 000004
【図４】
0004493570.tif 000005
【図５】
0004493570.tif 000006
【図６】
0004493570.tif 000007
【図７】
0004493570.tif 000008
【図８】
0004493570.tif 000009
【図９】
0004493570.tif 000010